(57)【特許請求の範囲】
【請求項１】
互いに嵌合可能な第１と第２のコネクタを備えたコネクタであって、  前記第１のコネクタは、収容室を有する第１フレームと、外寸法の異なる複数種類を含んで構成される第１コネクタハウジング群の中から選択的に前記収容室内に装着される第１コネクタハウジングとを備え、
前記第２のコネクタは、少なくとも一個の第２コネクタハウジングを備え、前記第１と第２のコネクタを嵌合することで、一個の前記第２コネクタハウジングが前記第１フレームに装着された複数個の前記第１コネクタハウジングに跨って接続可能とされ、
前記第１フレームの前記収容室は、左右方向に延びた位置決め壁により上下に区分されており、前記第１コネクタハウジングは、前記収容室内に左右方向に複数個並べて装着可能とされるとともに、前記位置決め壁の上下両側にそれぞれ装着可能とされ、さらに前記位置決め壁を上下に跨ぐように装着可能とされていることを特徴とするコネクタ。
【請求項２】
前記第２のコネクタは、収容室を有する第２フレームと、この第２フレームの収容室内に装着される複数個の第２コネクタハウジングとを備え、前記第１と第２のコネクタを嵌合することで、一個の前記第１コネクタハウジングが複数個の前記第２コネクタハウジングに跨って接続されるようにしたことを特徴とする請求項１に記載のコネクタ。
【発明の詳細な説明】
【０００１】
【発明の属する技術分野】
本発明は、コネクタに関する。
【０００２】
【従来の技術】
自動車の配索作業において一対のワイヤハーネス同士を接続する際には、予め、電線の端末の端子金具をコネクタハウジングに収容して端子金具を保護しておき、各ワイヤハーネスを組付現場に搬入した後、両コネクタハウジングを嵌合させるようにしている。近年では、回路の増大化かつ複雑化に伴い、上記のようなワイヤハーネスを複数に分割して取り扱う傾向にある。例えば、ワイヤハーネスが対応する装置ごと等の複数のサブハーネスに分けられ、各サブハーネスがそれぞれ別の場所で仮結束されたのち所定の組付現場に搬入され、改めて相手のワイヤハーネスと接続される。ここで、仮結束されたサブハーネスでは、後の本結束の作業等を考慮すると、電線の端末の端子金具を予めコネクタハウジングに収容しておくことが望ましい。
【０００３】
【発明が解決しようとする課題】
ところで、一般に一個のコネクタハウジングは、対応する一個の相手側コネクタハウジングと接続される。そのため、回路構成上、一本のサブハーネスに対応する相手側のコネクタハウジングが複数個に亘る場合には、従来であれば、そのサブハーネスを対応する相手側のコネクタハウジングと同数に分けて、それぞれにコネクタハウジングを設けることとなり、それだけコネクタハウジングの個数が多くなって、部品コストがかかったり、組付けの工数が多くなる等の不都合があった。
本発明は上記のような事情に基づいて完成されたものであって、その目的は、コネクタハウジングの個数を削減することの可能なコネクタを提供するところにある。
【０００４】
【課題を解決するための手段】
上記の課題を解決するための請求項１の発明に係るコネクタは、互いに嵌合可能な第１と第２のコネクタを備えたコネクタであって、前記第１のコネクタは、収容室を有する第１フレームと、外寸法の異なる複数種類を含んで構成される第１コネクタハウジング群の中から選択的に前記収容室内に装着される第１コネクタハウジングとを備え、前記第２のコネクタは、少なくとも一個の第２コネクタハウジングを備え、前記第１と第２のコネクタを嵌合することで、一個の前記第２コネクタハウジングが前記第１フレームに装着された複数個の前記第１コネクタハウジングに跨って接続可能とされ、前記第１フレームの前記収容室は、左右方向に延びた位置決め壁により上下に区分されており、前記第１コネクタハウジングは、前記収容室内に左右方向に複数個並べて装着可能とされるとともに、前記位置決め壁の上下両側にそれぞれ装着可能とされ、さらに前記位置決め壁を上下に跨ぐように装着可能とされているところに特徴を有する。
【０００５】
請求項２の発明は、請求項１に記載のものにおいて、前記第２のコネクタは、収容室を有する第２フレームと、この第２フレームの収容室内に装着される複数個の第２コネクタハウジングとを備え、前記第１と第２のコネクタを嵌合することで、一個の前記第１コネクタハウジングが複数個の前記第２コネクタハウジングに跨って接続されるようにしたところに特徴を有する。
【０００６】
【発明の作用および効果】
請求項１の発明によれば、一個の第２コネクタハウジングが複数個の第１コネクタハウジングに跨って接続される。従って、例えば一対のワイヤハーネスを接続するときに、一本のサブハーネスに対応する相手側のコネクタハウジングが複数個あった場合でも、従来のように一対一のコネクタハウジングを設けず、一個のコネクタハウジングで済むため、コネクタハウジングの個数を削減することができる。
【０００７】
請求項２の発明によれば、第１と第２の双方のコネクタハウジングが互いに複数個の相手側コネクタハウジングに跨って接続される。そのため、コネクタハウジングの個数をより削減することが可能であり、構成上の自由度も高まる。
【０００８】
【発明の実施の形態】
次に本発明の一実施形態について図１から図１１を参照して説明する。
本実施形態のコネクタは、互いに嵌合可能な雌雄一対の分割コネクタＦ，Ｍを備えて構成されている。なお、以下の説明においては、雌側分割コネクタＦと雄側分割コネクタＭとのそれぞれについて互いに嵌合する側を前面とする。
【０００９】
雌側分割コネクタＦは、図１及び図２に示すように、内側に収容室１１を有する雌側フレーム１０と、この収容室１１に嵌め付けられる複数個（ここでは５個）の雌側サブコネクタハウジング２０（以下、雌ハウジングという）とを備えている（図１では雌ハウジング２０のうちの一部のみを示す）。なお、雌ハウジングについて、共通して説明する場合は符号２０を付し、区別して説明する場合は、符号２０に添え字Ａ〜Ｃを付して特定することとする。また、これらの雌ハウジング２０Ａ〜２０Ｃは、後に述べるように雌側サブコネクタハウジング群の中から適宜選択されるものである。
【００１０】
雌側フレーム１０は、図１及び図３〜図５に示すように、合成樹脂材により略箱形に形成されており、その前壁１１Ａ側から後述する雄側コネクタＭのフード部３２内に嵌入可能とされている。また、雌側フレーム１０の上面には、上下方向に撓み変形可能なロックアーム１２が備えられている。
【００１１】
雌側フレーム１０の内部は前記の収容室１１となっており、後方に開放する略長方形状をなしている。また、収容室１１には、平坦な前壁１１Ａ（収容室の奥壁）から、上下方向の中央位置に、左右方向に沿って収容室１１の全幅に亘る位置決め壁１３が突設されている。この位置決め壁１３によって収容室１１は上下２段に区分されるが、位置決め壁１３の突出寸法は収容室１１の奥行き寸法の一部（半分よりやや小さい程度）とされており、収容室１１を上下に完全に仕切らないような突出寸法となっている（図５参照）。
【００１２】
一方、雌ハウジング２０は、図１，図２及び図５に示すように、合成樹脂材によって略箱形に形成されており、雌側端子金具２２を収容可能なキャビティ２１が左右方向に一定の配列ピッチｄで複数（詳しくは、雌ハウジング２０Ａ，２０Ｂ，２０Ｃの順で、８つ，３つ，６つ）並設されている。雌ハウジング２０の上下方向の外寸法は、収容室１１の上下方向の内寸法の約半分であり、その前方部分は外寸法がやや小さくされている。収容室１１の上下段には、雌ハウジング２０が互いに上下反転した姿勢で収容可能とされており、各雌ハウジング２０は、位置決め壁１３と収容室１１の壁面との間に挟まれて上下方向に位置決めされるようになっている。
【００１３】
また、雌ハウジング２０の左右方向の外寸法は、キャビティ２１の配列ピッチｄ（即ち雌側端子金具２２の配列ピッチ）を基準として概ねその整数倍の外寸法に設定されている。詳しくは、それぞれキャビティ２１の数に１を足したものに配列ピッチｄを掛け合わせた寸法に設定され、雌ハウジング２０Ａ，２０Ｂ，２０Ｃの順で、９ｄ，４ｄ，７ｄとなっている。これにより、複数個の雌ハウジング２０を収容室１１内にて左右方向へ隙間なく並べたときに、横並びになった各雌ハウジング２０のキャビティ２１が一定の配列ピッチ上に揃うようになっている。
【００１４】
雌ハウジング２０の各キャビティ２１は、前後に開放しており、後側の開口から電線Ｗの接続された雌側端子金具２２を挿入可能とされている。また、キャビティ２１の前側の開口からは後述する雄側端子金具４１のタブ４１Ａが挿入されて、雌側端子金具２２に対して電気的に接続可能となっている。また、雌側フレーム１０の前壁１１Ａには、収容室１１の上下段に配される雌ハウジング２０のキャビティ２１に対応する高さ位置に、左右方向に延びる一対のタブ挿通溝１８が貫通形成されている。このタブ挿通溝１８には、前記のタブ４１Ａを挿通可能とされるとともに、タブ４１Ａとは幅寸法の異なるタブも挿通できるようにされている。
【００１５】
雌ハウジング２０の上面（収容室１１上段の雌ハウジング２０を基準とする。）には、各キャビティ２１に対応する位置にロック突起２４が突設されている。一方、収容室１１の上下内壁面には、前後方向に沿って溝状をなすガイド溝１５が左右方向に複数並設されている。これらのガイド溝１５の配列ピッチは、ロック突起２４の配列ピッチ、即ちキャビティ２１の配列ピッチｄと等しくされており、雌ハウジング２０Ａを収容室１１に嵌め入れる際には、各ロック突起２４をガイド溝１５へ嵌め込むようにすることで、雌ハウジング２０Ａが左右方向に位置決めされるようになっている。また、雌側フレーム１０の上下壁には、各ガイド溝１５のうち所定個数おきのガイド溝１５に対応する位置に、前端側から前後方向の中央付近にかけて切り欠き１６が形成されている。この切り欠き１６の後端部分は、対応するガイド溝１５側に貫通しているとともに、この部分には上下に撓み変形可能なロック片１７が形成されている。このロック片１７の先端部は対応するガイド溝１５側へ突出し、雌ハウジング２０Ａを収容室１１に嵌め付けたときに、ロック突起２４に係合して雌ハウジング２０Ａを抜け止めするようになっている。
【００１６】
次に、雄側分割コネクタＭについて説明する。雄側分割コネクタＭは、図１及び図６に示すように、内側に収容室３１を有する雄側フレーム３０と、この収容室３１に嵌め付けられる複数個（ここでは２個）の雄側サブコネクタハウジング４０（以下、雄ハウジングという）とを備えている。なお、雄ハウジングについて、共通して説明する場合は符号４０を付し、区別して説明する場合は、符号４０に添え字Ａ，Ｂを付して特定することとする。また、これらの雄ハウジング４０Ａ，４０Ｂは、後に述べる雄側コネクタハウジング群の中から適宜選択されるものである。
【００１７】
雄側フレーム３０は、図１及び図７，図８に示すように、合成樹脂材により形成されており、前面側に雌側フレーム１０と嵌合可能なフード部３２を備えている。また、雄側フレーム３０の後面側は、略箱形をなしており、その内側が後方側に開放する収容室３１となっている。フード部３２の上面中央には、係合爪部３３が下向きに突設されており、雌雄両コネクタＦ，Ｍを嵌合したときには、係合爪部３３が前述のロックアーム１２と係合することで両コネクタＦ，Ｍが離間不能にロックされるようになっている。
【００１８】
雄側フレーム３０の収容室３１は、雌側フレーム１０の収容室１１と概ね同様の構成であるので、説明を簡単にすると、収容室３１には、平坦な奥壁３１Ａから左右方向に沿って位置決め壁３４が突設され、これにより収容室３１が上下２段に区分されている。また、収容室３１の奥壁３１Ａには、左右方向に延びるタブ挿通溝３５が上下２段形成されている。さらに、収容室３１の上下内壁面には、ガイド溝３７が雌側のガイド溝１５と対応する位置に並設されており、それらのうち所定個数おきのガイド溝３７に対応する位置に切り欠き３８が設けられ、その後端にロック片３９が形成されている。
【００１９】
一方、雄ハウジング４０は、図１，図６及び図８に示すように、合成樹脂材によって全体として箱形に形成されている。雄ハウジング４０は、上下対称構造であって、雄側端子金具４１を収容可能なキャビティ４２が上下２段、左右方向に雌側のキャビティ２１と同一の配列ピッチｄで複数並設されている。雄ハウジング４０の上下方向の外寸法は、収容室３１の上下方向の内寸法とほぼ等しくされている。また、雄ハウジング４０の前方部分には、上下方向の中央に位置決め壁３４を受け入れ可能な受入凹部４３が設けられており、雄ハウジング４０は位置決め壁３４を跨ぐようにして収容室３１内に嵌め付け可能とされている。
【００２０】
また、雄ハウジング４０の左右方向の外寸法は、キャビティ４２の配列ピッチｄ（即ち雌側端子金具２２及び雄側端子金具４１の配列ピッチ）を基準として概ねその整数倍の外寸法に設定されている。詳しくは、それぞれ左右方向に並んだキャビティ４２の数に１を足したものに配列ピッチｄを掛け合わせた寸法に設定されている。
【００２１】
雄ハウジング４０の各キャビティ４２は、前後に開放しており、後側の開口から電線Ｗの接続された雄側端子金具４１が挿入可能とされ、前側の開口からはその雄側端子金具４１のタブ４１Ａが突出するようになっている。また、雄ハウジング４０の上下面には、各キャビティ４２と対応する位置にロック突起４４が突設されて収容室３１のガイド溝３７に嵌め込み可能とされるとともに、ロック片３９の先端に係合可能となっている。
【００２２】
本実施形態は以上の構成であり、続いてその組付手順について説明する。
各雌ハウジング２０及び各雄ハウジング４０には、予め、それぞれ必要なキャビティ２１，４２にのみ端子金具２２，４１が装着される。雌ハウジング２０を雌側フレーム１０に組み付けるには、図５に示す状態から、各雌ハウジング２０を収容室１１の所定位置へ嵌め入れる。このとき、ロック突起２４を対応するガイド溝１５に嵌め込むことで、雌ハウジング２０が左右方向に位置決めされる。また、雌ハウジング２０の前部を位置決め壁１３と収容部１１の壁面との間に差し入れることで雌ハウジング２０が上下方向に位置決めされる。雌ハウジング２０を前壁１１Ａに突き当たる正規位置まで押し込むと、ロック片１７の先端がロック突起２４に対して弾性的に係合し、雌ハウジング２０が抜け止めされる。ここでロック突起２４は、雌ハウジング２０を位置決めするための部位と抜け止めするための部位とを兼ねているため、構成が簡略化されている。
このようにして、雌ハウジング２０Ａ，２０Ｂを収容室１１の上段へ、雌ハウジング２０Ｂ，２０Ｃ，２０Ｂを収容室１１の下段へ、左右方向に並べて嵌め付けることで、雌側分割コネクタＦが完成する（図２，図９参照）。
【００２３】
次に、雄ハウジング４０を雄側フレーム３０に組み付けるには、図８に示す状態より、各雄ハウジング４０を収容室３１の所定位置へ嵌め入れる。このとき、ロック突起４４を対応するガイド溝３７に嵌め込むことで、雄ハウジング４０が左右方向に位置決めされる。また、各雄側端子金具４１のタブ４１Ａは、奥壁３１Ａに設けられたタブ挿通溝３５を通ってフード部３２内に突出する。雄ハウジング４０を奥壁３１Ａに突き当たる正規位置まで押し込むと、ロック片３９の先端がロック突起４４に対して弾性的に係合して、雄ハウジング４０が抜け止めされる（図９参照）。このとき、収容室３１の位置決め壁３４は、雄ハウジング４０の受入凹部４３内に受け入れられ、雄ハウジング４０は位置決め壁３４を跨いだ状態となっている。こうして、雄ハウジング４０Ａ，４０Ｂを収容室３１の所定位置に嵌め付けることで、雄側分割コネクタＭが完成する。
【００２４】
続いて、雌側分割コネクタＦと雄側分割コネクタＭとを嵌合する。図９に示す状態より、雌側分割コネクタＦをフード部３２内へ嵌め入れていくと、フード部３２内に突出する各タブ４１Ａが雌側フレーム１０のタブ挿通溝１８を通ってキャビティ２１内に差し込まれ、雌側端子金具２２と電気的に接続される。雌側分割コネクタＦの前壁１１Ａがフード部３２の奥壁３１Ａに突き当たる正規位置まで押し込まれると、ロックアーム１２が係止爪部３３と弾性的に係合して、両コネクタＦ，Ｍが離間不能状態にロックされ、コネクタの組付作業が完了する（図１０参照）。
【００２５】
さて、雌雄の分割コネクタＦ，Ｍが嵌合された状態では、例えば雌ハウジング２０Ａについてみれば、前壁１１Ａと奥壁３１Ａとを挟んで前方に雄ハウジング４０Ａと雄ハウジング４０Ｂとが位置している。そして、この雌ハウジング２０Ａに収容された複数の雌側端子金具２２のうちの一部は、雄ハウジング４０Ａに収容された雄側端子金具４１と接続され、他の雌側端子金具２２は、雄ハウジング４０Ｂに収容された雄側端子金具４１と接続されている。即ち、一個の雌ハウジング２０Ａが複数個の雄ハウジング４０Ａ，４０Ｂに跨って接続される。従って、例えば雌雄一対のワイヤハーネスを接続するときに、雌側の一本のサブハーネスに対応する雄側のハウジングが４０Ａ，４０Ｂの２個であった場合、従来であれば、雌側にも一対一で対応するハウジングを設けるところが、一個の雌ハウジング２０Ａで済むため、ハウジングの個数が削減されている。
【００２６】
さらに、例えば雄ハウジング４０Ａの前方には雌ハウジング２０Ａと、２個の雌ハウジング２０Ｂと、雌ハウジング２０Ｃの４個とが位置し、雄ハウジング４０Ａに収容される複数の雄側端子金具４１は、４個の雌ハウジング２０Ａ〜２０Ｃに収容された雌側端子金具２２に接続されている。即ち、一個の雄ハウジング４０Ａが４個の雌ハウジング２０Ａ〜２０Ｃに跨って接続される。このように雌雄のハウジング２０，４０が互いに複数個の相手側ハウジング２０，４０に跨って接続されるため、雌雄のハウジング２０，４０の個数をより削減することが可能であり、構成上の自由度も高まる。
【００２７】
また、雌側分割コネクタＦについてみると（詳述しないが、以下のことは雄側分割コネクタＭについても同様に当てはまる）、雌側フレーム１０には、一般的な分割コネクタのように複数の収容室にそれぞれ一個のサブコネクタハウジングを収容するのではなく、一つの収容室１１に複数個の雌ハウジング２０を収容することができる。各雌ハウジング２０Ａ〜２０Ｃは、ロック突起２４とガイド溝１５とが嵌まり合う位置であれば、収容室１１の任意の位置に嵌め付けることができる。そのため、雌ハウジング２０Ａ〜２０Ｃの配置を組み替えることで、対応する雄ハウジング４０Ａ，４０Ｂとの間の回路構成を変更することができる。さらに、各ロック突起２４及びガイド溝１５の配列ピッチは、各キャビティ２１の配列ピッチｄ（即ち、雌側端子金具２２の配列ピッチ）と同一であるから、各雌ハウジング２０Ａ〜２０Ｃを収容室１１のいかなる位置に配置しても、全ての雌側端子金具２２が一定のピッチ上に揃うことになる。従って、特に本実施形態のように一個のハウジングが複数個の相手側ハウジングに跨って接続されるようにした場合には、各雌ハウジング２０Ａ〜２０Ｃの配置によって相手側の雄ハウジング４０の構成を変更する必要がないため、相手側雄ハウジング４０の構成が簡単となる。
【００２８】
さて、上記の雌ハウジング２０及び雄ハウジング４０は、それぞれ雌側、雄側のサブコネクタハウジング群から、仕様に応じて適宜選択され、フレーム１０，３０に組み付けられたものである。雌側、雄側のサブコネクタハウジング群は、それぞれ外寸法の異なる複数種類の雌ハウジング、雄ハウジングを含んで構成されており、本実施形態においては、全て共通のキャビティ２１，４２を備え、その配列ピッチも一定（ｄ）とされている。
【００２９】
例えば、図１１の雌側分割コネクタＦ２は、雌側サブコネクタハウジング群より既出のものとは別の雌ハウジング２０Ｄ〜２０Ｇを選択して、雌側フレーム１０に組み付けた例を示している。雌ハウジング２０Ｄ，２０Ｅは、キャビティ２１をそれぞれ５つ，４つ備えており、左右方向の外寸法はそれぞれ６ｄ，５ｄであり、収容室１１の上段または下段に装着される。雌ハウジング２０Ｆ，２０Ｇは、キャビティ２１をそれぞれ上下に４つずつ，１つずつ備えており、左右方向の外寸法はそれぞれ５ｄ，２ｄとされている。また、雌ハウジング２０Ｆ，２０Ｇの前面には、受入凹部（図示しないが雄側の受入凹部４３のように、位置決め壁１３を受入可能なもの）が設けられており、位置決め壁１３を上下に跨ぐように嵌め付けられている。各雌ハウジング２０Ｄ〜２０Ｇは、外壁面に各キャビティ２１に対応する位置にロック突起２４を備えており、それぞれガイド溝１５に嵌め入れられるとともに、そのうちの一部のロック突起２４にはロック片１７が係止して各雌ハウジング２０Ｄ〜２０Ｇが抜け止めされている。なお、詳細には示さないが雄側サブコネクタハウジング群についても、種々のキャビティ４２数や外寸法を備えたもの（例えば、キャビティ４２が一段のタイプのものなど）が含まれ、それらを組み合わせて雄側フレーム３０に嵌め付けることができるようになっている。
【００３０】
このように、外寸法の異なる複数種類を含むサブコネクタハウジング群の中から、適宜選択したサブコネクタハウジング２０，４０を組み合わせてフレーム１０，３０の収容室１１，３１に並べて嵌め付けることができるため、仕様変更によって使用するサブコネクタハウジング２０，４０を外寸法の異なるものに変更する際にも同じフレーム１０，３０を共用でき、製造コストを低減することができる。
【００３１】
また、例えば雌ハウジング２０は、ロック突起２４をガイド溝１５に嵌め入れることで左右方向（サブコネクタハウジングの並び方向）について位置決めされる。ガイド溝１５は、雌側端子金具２２の配列ピッチｄと整数倍（ここでは１倍）の配列ピッチであるから、雌ハウジング２０をいかなる位置に配置しても雌側端子金具２２が一定のピッチ上に揃うことになり、対応する相手側の雄ハウジング４０を構成しやすくなる。なお、上記のことは、雄ハウジング４０についても同様である。
【００３２】
さらに、雌雄のサブコネクタハウジング群においては、それぞれキャビティ２１，４２について基準となる配列ピッチｄが設定されており、各ハウジング２０，４０の左右方向（並び方向）の外寸法は基準となる配列ピッチｄの整数倍に設定されている。そのため、複数個のハウジング２０，４０を隙間なく並べたときに各キャビティ２１，４２の端子金具２２，４１が基準となる配列ピッチ上に揃うため、相手側のハウジング２０，４０を構成しやすくなり、かつスペース効率が良くなる。
【００３３】
また、収容室１１，３１の奥側の面１１Ａ，３１Ａから位置決め壁１３，３４が突設されることで、キャビティ２１，４２を一段のみ備えたタイプのハウジング２０，４０をその位置決め壁１３，３４の厚さ方向の両側に位置決めすることができる。また、サブコネクタハウジング群のうち一部のハウジング２０，４０は、位置決め壁１３，３４を受け入れ可能な受入凹部４３を備えているため、位置決め壁１３，３４を跨いだ状態で嵌め付けることができる。即ち、ハウジング２０，４０を左右方向のみならず、上段下段にも並べて配置することができ、また、上下段を跨いで配置することも可能であるから、仕様に応じて極めて多様な構成が可能となる。
【００３４】
本発明の技術的範囲は、上記した実施形態によって限定されるものではなく、例えば、次に記載するようなものも本発明の技術的範囲に含まれる。
（１）本発明によれば、収容室に位置決め壁を複数並設する等によってサブコネクタハウジングを上下方向にも３個以上並べられるようにしても良い。
【００３５】
（２）上記実施形態のコネクタは、雌雄一対の分割コネクタから構成されているが、本発明によれば、雌雄のうち一方を単一のコネクタハウジングのみを備えたコネクタとして、このコネクタハウジングが他方の分割コネクタにおける複数個のサブコネクタハウジングに跨って接続されるようにしても良い。
（３）上記実施形態では、全てのサブコネクタハウジングにおいて、キャビティの大きさ（即ち、端子金具の大きさ）が統一されている例を示したが、本発明によれば、サブコネクタハウジングには、キャビティ（端子金具）の大きさの異なるものが含まれていても良い。
【図面の簡単な説明】
【図１】第１実施形態における雌雄の分割コネクタを示す分解斜視図
【図２】雌側分割コネクタの背面図
【図３】雌側フレームの背面図
【図４】雌側フレームの平面図
【図５】雌ハウジングを雌側フレームに嵌め入れる前の状態を示す側断面図
【図６】雄側分割コネクタの背面図
【図７】雄側フレームの背面図
【図８】雄ハウジングを雄側フレームに嵌め入れる前の状態を示す側断面図
【図９】雌雄の分割コネクタを嵌合する前の状態を示す側断面図
【図１０】雌雄の分割コネクタを嵌合した状態を示す側断面図
【図１１】雌側分割コネクタの別の組付例を示す背面図
【符号の説明】
Ｆ，Ｆ２…雌側分割コネクタ（第１または第２のコネクタ）
Ｍ…雄側分割コネクタ（第１または第２のコネクタ）
１０…雌側フレーム
２０Ａ〜２０Ｃ…雌ハウジング（雌側サブコネクタハウジング）
３０…雄側フレーム
４０Ａ，４０Ｂ…雄ハウジング（雄側サブコネクタハウジング）
【図１】
0003652610.tif 000002
【図２】
0003652610.tif 000003
【図３】
0003652610.tif 000004
【図４】
0003652610.tif 000005
【図５】
0003652610.tif 000006
【図６】
0003652610.tif 000007
【図７】
0003652610.tif 000008
【図８】
0003652610.tif 000009
【図９】
0003652610.tif 000010
【図１０】
0003652610.tif 000011
【図１１】
0003652610.tif 000012